(57)【要約】【課題】扉をピン支承により回転可能に支持する扉の支持装置において、扉の開閉時の勢いを抑制し、また、過度に軽微な力では容易に開閉しないようにする。【解決手段】扉枠と床で形成される開口部に設けられる扉に対して該扉の幅方向一側の上部および下部をそれぞれピン支承により支持する上部扉支持装置および下部扉支持装置とからなる扉の支持装置において、下部扉支持装置３５の下部扉側部材３７のブロック８８の側面からピン嵌合穴９０ａまで貫通するネジ穴９７にネジ９８を螺合し、該ネジを締め付けることにより該ネジの先端をピン嵌合穴に嵌入されている下部ピン４２の側面に接触させて扉の回転に対して抵抗を与えるよう構成した。上部扉支持装置において同様の構成を採用しても良い。【選択図】図５
2010174548.tif 000002
【特許請求の範囲】
【請求項１】
扉枠と床で形成される開口部に設けられる扉に対して該扉の幅方向一側の下部を回転自在に支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部扉側部材の側面からピン嵌合穴まで貫通するネジ穴にネジを螺合し、該ネジを締め付けることにより該ネジの先端をピン嵌合穴に嵌入されている下部ピンの側面に接触させて扉の回転に対して抵抗を与えるよう構成したことを特徴とする扉の支持装置。
【請求項２】
扉枠と床で形成される開口部に設けられる扉に対して該扉の幅方向一側の上部を回転自在に支持する扉支持装置であって、扉枠側に固定される扉枠側部材と、扉側に固定される上部扉側部材とを備え、上部扉側部材が有する上部ピンが扉枠側部材のピン嵌合穴に回転自在に嵌入することにより扉の上部をピン支承する構成を有するものにおいて、扉枠側部材の側面からピン嵌合穴まで貫通するネジ穴にネジを螺合し、該ネジを締め付けることにより該ネジの先端をピン嵌合穴に嵌入されている上部ピンの側面に接触させて扉の回転に対して抵抗を与えるよう構成したことを特徴とする扉の支持装置。  
【発明の詳細な説明】
【技術分野】
【０００１】
本発明は、扉をピン支承により回転自在に支持する扉の支持装置に関する。
【背景技術】
【０００２】
扉の支持装置としては、たとえば下記特許文献１および２に記載されるように、上枠と左右縦枠とからなる扉枠と床とで形成される開口部に設けられる扉に対して該扉の幅方向一側の上部および下部をそれぞれピン支承により支持するタイプのものが知られている。上部支持手段は上枠と扉の上木口との間で扉を開閉可能に支持し、下部支持手段は扉の下木口と床との間で扉を開閉可能に支持する。
【０００３】
このようなタイプの扉の支持装置は、扉の自重がかかる重心と支持手段との間の距離が短いので、扉の自重による曲げモーメントやせん断力が小さくなり、扉の支持側とは反対側が自重で下がってしまうことを防止すると共に、扉の開閉がスムーズで小さな力でも開閉動作が容易であるというメリットが発揮される。
【先行技術文献】
【特許文献】
【０００４】
【特許文献１】特開２００４−１５００２１号公報
【特許文献２】特開２００５−１３３５２６号公報
【発明の概要】
【発明が解決しようとする課題】
【０００５】
しかしながら、軽微な力でも開閉できることは必ずしもメリットばかりではなく、扉が勢いよく開閉して扉が人に当たったり、扉と枠との間に指を挟んだりして怪我をするおそれが生ずる。また、扉が勢いよく閉まる際の音が大きかったり、戸当たりが破損するという問題も懸念される。エアコンの風などでも扉が開閉してしまうこともある。さらには、扉枠の上部横枠が扉の開く方向に傾いて建て付けられている場合があり、この場合には扉の回転軸も扉の開く方向に傾斜するので、扉が勝手に開いてしまうことがある。
【０００６】
したがって、本発明が解決しようとする課題は、上記従来技術のタイプの扉の支持装置に改良を加えて、扉の開閉時の勢いを抑制し、また、過度に軽微な力では容易に開閉しないようにすることである。
【課題を解決するための手段】
【０００７】
この課題を解決するため、請求項１に係る本発明は、扉枠と床で形成される開口部に設けられる扉に対して該扉の幅方向一側の下部を回転自在に支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部扉側部材の側面からピン嵌合穴まで貫通するネジ穴にネジを螺合し、該ネジを締め付けることにより該ネジの先端をピン嵌合穴に嵌入されている下部ピンの側面に接触させて扉の回転に対して抵抗を与えるよう構成したことを特徴とする。
【０００８】
また、請求項２に係る本発明は、扉枠と床で形成される開口部に設けられる扉に対して該扉の幅方向一側の上部を回転自在に支持する扉支持装置であって、扉枠側に固定される扉枠側部材と、扉側に固定される上部扉側部材とを備え、上部扉側部材が有する上部ピンが扉枠側部材のピン嵌合穴に回転自在に嵌入することにより扉の上部をピン支承する構成を有するものにおいて、扉枠側部材の側面からピン嵌合穴まで貫通するネジ穴にネジを螺合し、該ネジを締め付けることにより該ネジの先端をピン嵌合穴に嵌入されている上部ピンの側面に接触させて扉の回転に対して抵抗を与えるよう構成したことを特徴とする。
【０００９】
本発明を適用できる扉は、扉枠を有し、その扉枠の開口部に水平面内での回転によって開閉するものである。この場合、扉は片側開きはもちろん両側開き（観音開き）のものでも良い。扉枠は、上枠と一対の縦枠を有する三方枠（または略門形）のものである。ピン支承は、ピボットヒンジに相当し、ピン周りの回転運動のみが自由で、軸方向や軸に直角の方向の移動を規制する支承方式である。
【発明の効果】
【００１０】
本発明によれば、扉の上部もしくは下部に使用される扉支持装置において、扉を支承するピンを嵌合するピン嵌合穴に達するネジ穴を設けて、このネジ穴に螺合するネジを締め付けることにより該ネジの先端をピン嵌合穴に嵌入されているピンの側面に接触させて扉の回転に対して抵抗を与えるように構成したので、扉の開閉時の勢いを抑制し、また、過度に軽微な力では容易に開閉しないようにすることができる。
【図面の簡単な説明】
【００１１】
【図１】本発明が適用される扉装置の一例を示す正面図である。
【図２】図１におけるＡ−Ａ断面図である。
【図３】図１におけるＢ−Ｂ断面図である。
【図４】本発明の一実施形態による扉の支持装置における下部扉支持装置の平面図（ａ）および正面図（ｂ）である。
【図５】図４（ｂ）におけるＣ−Ｃ断面図である。
【図６】本発明の一実施形態による扉の支持装置における上部扉支持装置の正面図である。
【図７】図６の上部扉支持装置における上枠側部材の平面図（ａ）、正面図（ｂ）および平面図（ａ）におけるＤ−Ｄ断面図（ｃ）である。
【発明を実施するための最良の形態】
【００１２】
図１〜図３は本発明が適用される扉装置の一例を示す。この扉装置は、扉枠１と床１２で形成される開口部１４に扉１７を設けたものである。扉枠１は、上枠３および左右縦枠５、６を有する三方枠（または門形枠）で、バリアフリーのために下枠が無い。扉１７は、片開きで扉枠の開口部１４に対して水平面内で回転するように取り付けられる。
【００１３】
扉枠１および扉１７の材質は特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などで形成され、その表面に化粧材が設けられる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００１４】
扉１７は、その幅方向１９の右側（一側）２１の上部および下部において、それぞれ上部扉支持装置２５および下部扉支持装置３５によりピボットヒンジ（ピン支承）により支持される。ピボットヒンジは、その軸が垂直方向に設けられたピン周りの水平面内での回転が可能である。また、扉の左側（他側）で中間高さ位置寄りには取手２４が設けられる。
【００１５】
扉１７が閉じられた状態で扉１７は左右縦枠５、６および上枠３の幅方向中央に設けられた戸当り８に当接する。左側の戸当り８および上枠の戸当り８には緩衝片９が設けられる。緩衝片９は、扉１７が閉じられた際に、その衝撃と衝撃音を小さくする。
【００１６】
床１２は木質材、無機材など材料には限定されないが、たとえば合板、木質繊維板（ＭＤＦなど）、木削片板、単板積層板などの木質系床材の場合には床側部材の固定を木ネジ、釘などで固定することができる。床１２の表面には化粧材が設けられるが、先に挙げた化粧材と同じ材質のものを使用しても良い。
【００１７】
上部扉支持装置２５は、扉枠の上枠３側に取り付けられる上枠側部材２７および扉上部に取り付けられる扉側部材２９を有する。上部扉支持装置２５の上枠側部材２７と扉側部材２９とは、扉側部材２９に設けられるピン３１が上枠側部材２７に設けられる孔に挿入されることによりピン支承される。さらに、ピン３１は、その基端側につまみ３３が設けられ、このつまみ３３を下方に引くことによりピン３１の先端が上枠側部材２７の孔から外れるようになっている。そして、ピン３１は常にコイルばね３４により上方に付勢されている。
【００１８】
下部扉支持装置３５は、扉下部に取り付けられる扉側部材３７および床に取り付けられる床側部材３９を有する。下部扉支持装置３５の扉側部材３７と床側部材３９とは、床側部材３９に設けられるピン４１が扉側部材３７に設けられる孔に挿入されることによりピン支承される。扉側部材３７に設けられる孔がピン４１に差し込まれることにより扉側部材３７がピン先端に載置され、ピン４１は略扉１７の重量を支える。なお、符号５４は床見切りを表す。
【００１９】
次に、図４および図５を参照して、下部扉支持装置３５の構成について詳述する。下部扉支持装置３５は、扉側に固定される下部扉側部材３７と、床１２側に固定される床側部材３９とを備える。下部扉側部材３７は、床側部材３９に設けられる下部のピン４２によりピン支承されるとともに、下部の扉側部材３７は下部のピン４２に対して水平方向に微調整可能な下部水平方向調整機構８４と、下部のピン４２に対して上下方向に微調整可能な上下方向調整機構９６とを有する。
【００２０】
下部扉側部材３７は、板状の取付片３７ａと、この取付片３７ａの一辺片側寄りに立設される立設片３７ｂと、この立設片３７ｂの両側から延在する一対の軸受片３７ｃおよび先端側から延在する覆片３７ｄとを有する。立設片３７ｂ、軸受片３７ｃおよび覆片３７ｄは略立方体状の空間の隣り合う４面を覆う。下部扉側部材３７は、取付片３７ａにより扉の下木口１８ａに固定される。取付片３７ａは、ビス（図示せず）により３箇所のビス孔３８を介して扉の下木口１８ａに固定される。また、立設片３７ｂ、軸受片３７ｃおよび覆片３７ｄの外側はカバー９３で被覆されている。
【００２１】
下部扉側部材３７の立設片３７ｂ、軸受片３７ｃおよび覆片３７ｄの４片で囲まれる空間内にブロック８８が装着される。ブロック８８は円柱状で、その断面形状は矩形状部分８８ａと、略円形状部分８８ｂとを組み合わせた異形方円形である。ブロックの矩形状部分８８ａの水平方向には雌ネジ８９が形成される。
【００２２】
一方、下部扉側部材３７の軸受片３７ｃ側には皿状孔（符号なし）が設けられ、この皿状孔に雄ネジ８６が形成された水平方向調整ネジ８５が挿入され、ブロックの雌ネジ８９に螺合される。水平方向調整ネジ８５の先端８７ｂ側は回動可能なように拡径してかしめられる。このように形成することにより、水平方向調整ネジの頭８７ａ側を回動することにより水平方向調整ネジ８５は、軸受片３７ｃに対しては相対的位置を変えずに回動するので、ブロック８８は水平方向調整ネジ８５の長手方向（図５の左右方向）に移動する。
【００２３】
さらに、下部扉側部材３７は上下方向調整機構９６を有する。上下方向調整機構９６は、ブロック８８の略円形状部分８８ｂの中心で上下方向に形成された孔９０ａおよびこれに延在する雌ネジ９０ｂと、雌ネジ９０ｂに螺合する上下方向調整ネジ９１および上下方向調整ネジ９１の下面側に接して設けられる座板９２とを含む。
【００２４】
孔９０ａの径は、下部ピン４２を回動可能に挿入可能な（すなわち遊嵌する）大きさである。座板９２は、上下方向調整ネジ９１の回動を容易にする。座板９２には一対の突起９２ａが形成され、この突起９２ａは孔９０ａの縦軸方向に形成される細溝（図示せず）に入り回り止めとされる。上下方向調整ネジ９１を回動することにより上下方向調整ネジ９１が上下方向に移動し、下部の扉側部材３７、したがって扉１７の高さが変わる。
【００２５】
床側部材３９は、円柱状の下部ピン４２と、異形三角形状の座４５とから形成される。下部ピン４２は、下部扉側部材３７のブロック８８に形成された孔９０ａに挿入される。座４５は、下部ピン４２がかしめにより固着されるとともに、一対の長孔４１が設けられる。床側部材３９は、この長孔４１を利用してビス（図示せず）により床１２に固定される。該ビスが通るビス孔が長孔４１とされることにより、床側部材３９の扉枠に対する固定位置を調整することができる。
【００２６】
下部扉側部材３７のブロック８８には、その突出先端側の側面から孔９０ａまで貫通するネジ穴９７が設けられ、このネジ穴９７にネジ９８が外側から挿入螺合される。カバー９３の突出先端側の側面には穴９９が、ネジ穴９７と略整列するように設けられている。かくして、この穴９９にドライバー（図示せず）を挿入してネジ９８を締め付ける方向に回動操作すると、ネジ９８の先端が、孔９０ａに挿入されている下部ピン４２の側面に接触してその回転に抵抗を与えるので、扉１７の開閉時の勢いを抑制し、また、過度に軽微な力では容易に開閉しないようにすることができる。扉１７に対する抵抗はネジ９８の締め具合で調節可能である。
【００２７】
なお、下部扉側部材３７は、下部ピン４２に対して水平方向に微調整可能な下部水平方向調整機構８４を有するので、扉１７の下部を扉枠１に対して適正な位置に建付け調整することができる。さらに、下部扉側部材３７は、下部ピン４２に対して上下方向に微調整可能な上下方向調整機構９６を有するので、扉１７の下部を床に対して適正な高さ位置に建付け調整することができる。
【００２８】
次に、図６および図７を参照して、上部扉支持装置２５の構成について詳述する。上部扉支持装置２５は、扉枠の上枠３側に固定される上枠側部材（扉枠側部材）２７と、扉側に固定される上部扉側部材２９とを備える。上部扉側部材２９は、下部扉側部材３７に対して対向する位置に設けられ、その形状は下部の扉側部材３７に対して略反対勝手である。
【００２９】
上部扉側部材２９は、コイルばね３４（付勢手段）により上向きに付勢されるとともに上下方向に移動可能な上部のピン３１と、この上部のピン３１に対して水平方向に微調整可能な上部水平方向調整機構７１とを有する。上部扉側部材２９は、上部ピン３１が上枠側部材２７の穴２８に回動可能に嵌入することによりピン支承される。
【００３０】
上部扉側部材２９は、板状の取付片２９ａと、この取付片２９ａの一辺片側寄りに立設される立設片２９ｂと、この立設片２９ｂの両側から延在する一対の軸受片２９ｃおよび先端側から延在する覆片２９ｄとを有する。立設片２９ｂ、軸受片２９ｃおよび覆片２９ｄは略立方体状の空間の隣り合う４面を覆う。上部扉側部材２９は、取付片２９ａにより扉の上木口１８ｂに固定される。取付片２９ａは、ビス（図示せず）により３箇所のビス孔３０を介して扉の上木口１８ｂに固定される。また、立設片２９ｂ、軸受片２９ｃおよび覆片２９ｄの外側はカバー８０で被覆されている。
【００３１】
さらに、上部扉側部材の立設片２９ｂ、軸受片２９ｃおよび覆片２９ｄの４片で囲まれる空間内にブロック７７が装着される。ブロック７７は円柱状で、その断面形状は矩形状部分７７ａと、略円形状部分７７ｂとを組み合わせた異形方円形である。ブロックの矩形状部分の水平方向には雌ネジ７８が形成される。
【００３２】
一方、扉側部材の軸受片２９ｃ側には皿状孔が設けられ、この皿状孔に雄ネジ７５が形成された水平方向調整ネジ７４が挿入され、ブロックの雌ネジ７８に螺合される。水平方向調整ネジ７４の先端７６ｂ側は回動可能なように拡径してかしめられる。このように形成することにより、水平方向調整ネジの頭７６ａ側を回動することにより水平方向調整ネジ７４は、軸受片２９ｃに対しては相対的位置を変えずに回動するので、ブロック７７は水平方向調整ネジ７４の長手方向（図６の左右方向）に移動する。
【００３３】
先に記載したように、上部扉側部材２９は、コイルばね３４により上向きに付勢されるとともに上下方向に移動可能な上部ピン３１が上枠側部材２７の穴２８に回動可能に嵌入することによりピン支承される。さらに、上部ピン３１は、その基端側につまみ３３が設けられ、このつまみ３３を下方に引くことにより上部ピン３１の先端が上枠側部材の穴２８から外れるようになっている。
【００３４】
上枠側部材２７は、板状の取付片２７ａと、その一辺側に延在させた軸受片２７ｂとを有する。取付片２７ａには上枠に取り付けるための４箇所の孔２７ｃが設けられ、ビス（図示せず）をこれら孔２７ｃに通して固定される。軸受片２７ｂには円筒状部分２７ｆの内部に穴２８が形成され、この穴２８に上部ピン３１の先端が抜き差し可能に嵌入される。さらに、軸受片２７ｂにはリブ２７ｄが形成され、このリブ２７ｄの先端寄りには覆い板２７ｅが設けられ、ピン３１の先端側が十分に嵌入できるように形成される。
【００３５】
上枠側部材２７の軸受片２７ｂの円筒状部分２７ｆには、軸受片２７ｂの突出先端側の側面にネジ穴（符号なし）が形成され、穴２８に貫通している。このネジ穴にネジ４６が外側から挿入螺合される。リブ２７ｄの突出先端側の側面にも穴（符号なし）が、該ネジ穴と略整列するように設けられている。かくして、リブ２７ｄの穴にドライバー（図示せず）を挿入してネジ４６を締め付ける方向に回動操作すると、ネジ４６の先端が、穴２８に挿入されている上部ピン３１の側面に接触してその回転に抵抗を与えるので、扉１７の開閉時の勢いを抑制し、また、過度に軽微な力では容易に開閉しないようにすることができる。扉１７に対する抵抗はネジ４６の締め具合で調節可能である。
【００３６】
なお、上部扉側部材のピン３１は、コイルばね３４により上向きに付勢されるとともに上下方向に移動可能であるので、上部ピン３１を上下方向に移動させることにより扉１７の上部を扉枠１に対して簡単に着脱することができる。さらに、扉側部材２９は、上部ピン３１に対して水平方向に微調整可能な上部水平方向調整機構７１を有するので、扉１７の上部を扉枠１に対して適正な位置に建付け調整することができる。
【００３７】
以上に本発明を図示実施形態について詳しく説明したが、本発明はこれら実施形態に限定されるものではなく、特許請求の範囲に規定される発明の範囲内において種々の変形や改変をなし得ることは云うまでもない。
【産業上の利用可能性】
【００３８】
本発明は、集合住宅や個別住宅の扉あるいは事務所、店舗などの扉に対して幅広く利用可能である。
【符号の説明】
【００３９】
１  扉枠
３  上枠
５  左縦枠
６  右縦枠
８  戸当たり
９  緩衝片
１２  床
１４  開口部
１７  扉
２５  上部扉支持装置
２７  上枠側部材
２８  穴（上部ピンのピン嵌合穴）
２９  上部扉側部材
３１  上部ピン
３５  下部扉支持装置
３７  下部扉側部材
３９  床側部材
４２  下部ピン
４６  ネジ
９０ａ  孔（下部ピンのピン嵌合穴）
９７  ネジ穴
９８  ネジ
【図１】
2010174548.tif 000003
【図２】
2010174548.tif 000004
【図３】
2010174548.tif 000005
【図４】
2010174548.tif 000006
【図５】
2010174548.tif 000007
【図６】
2010174548.tif 000008
【図７】
2010174548.tif 000009